(57)【要約】【課題】着用前においても前後の判別が容易であり、着用時に着用者のそけい部に跡が付きにくいパンツ型吸収性物品を提供すること。【解決手段】本発明のおむつ１は、腹側シート部材２Ａ、背側シート部材２Ｂ及び吸収性本体３を具備し、両シート部材２Ａ，２Ｂの側縁部２ａ，２ｂが接合されて一対のサイドシール部４を形成している。腹側シート部材２Ａ及び背側シート部材２Ｂは、サイドシール部４より下方に延出する延出部２１ａ，２１ｂを有している。各延出部２１ａ，２１ｂには複数本の弾性部材２４がＸ方向に沿って伸長状態で配され、各延出部２１ａ，２１ｂはＸ方向に伸縮性を有している。おむつ１は、収縮した状態において、腹側シート部材２Ａの延出部２１ａの幅が、背側シート部材２Ｂの延出部２１ｂの幅よりも狭くなっている。【選択図】図１
2013128516.tif 000002
【特許請求の範囲】
【請求項１】
着用者の腹側に配される腹側シート部材と、着用者の背側に配される背側シート部材と、該腹側シート部材及び該背側シート部材に架け渡して固定された縦長の吸収性本体とを具備し、前記腹側シート部材の両側縁部と前記背側シート部材の両側縁部とが接合されて一対のサイドシール部、ウエスト開口部及び一対のレッグ開口部が形成されているパンツ型吸収性物品であって、
前記腹側シート部材及び前記背側シート部材は、それぞれ、前記サイドシール部より下方に延出する延出部を有し、各該延出部には複数本の弾性部材が横方向に沿って伸長状態で配され、各該延出部は横方向に伸縮性を有しており、
収縮した状態において、前記腹側シート部材の前記延出部の幅が、前記背側シート部材の前記延出部の幅よりも狭いパンツ型吸収性物品。
【請求項２】
前記腹側シート部材の前記延出部及び前記背側シート部材の前記延出部は、それぞれ、前記吸収性本体と重なる領域に、前記弾性部材の伸縮機能が低減された弱機能化領域を有している請求項１記載のパンツ型吸収性物品。
【請求項３】
前記腹側シート部材の前記延出部の横方向の収縮力が、前記背側シート部材の前記延出部の横方向の収縮力よりも高い請求項１又は２記載のパンツ型吸収性物品。
【請求項４】
前記腹側シート部材の前記延出部の単位長さ当たりの横方向の収縮力が、前記背側シート部材の前記延出部の単位長さ当たりの横方向の収縮力よりも高い請求項３記載のパンツ型吸収性物品。
【請求項５】
前記腹側シート部材の前記延出部と前記背側シート部材の前記延出部とに、同一の太さの弾性部材が、同一の伸長率で配されている請求項１〜４の何れか１項記載のパンツ型吸収性物品。
【請求項６】
前記吸収性本体と前記腹側シート部材との腹側固定部の幅が、前記吸収性本体と前記背側シート部材との背側固定部の幅よりも狭い請求項１〜５の何れか１項記載のパンツ型吸収性物品。
【請求項７】
前記腹側固定部における前記吸収性本体と前記腹側シート部材の前記延出部との腹側延出固定部の幅が、前記背側固定部における前記吸収性本体と前記背側シート部材の前記延出部との背側延出固定部の幅よりも狭い請求項１〜６の何れか１項記載のパンツ型吸収性物品。
【発明の詳細な説明】
【技術分野】
【０００１】
本発明は、使い捨ておむつ等のパンツ型吸収性物品に関する。
【背景技術】
【０００２】
従来、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側部と背側シート部材の左右両側部とが接合されているパンツ型吸収性物品が知られている。
例えば、特許文献１，２には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
また、本出願人は、腹側シート部材と背側シート部材のそれぞれに、サイドシール部よりも下方に延出した延出部を設け、その延出部が物品幅方向に伸縮性を有するパンツ型吸収性物品を提案した。
【先行技術文献】
【特許文献】
【０００３】
【特許文献１】特表２００８−５０８０８２号公報
【特許文献２】特開２０１１−２５００６号公報
【発明の概要】
【発明が解決しようとする課題】
【０００４】
特許文献１のプルオン衣類は、後ろベルト部分がサイドシール部より下方に延出する臀部カバーを有し、該臀部カバーも伸縮性を有するため、サイドシール部の下端付近が、後ろベルト部分側に強く引っ張られて、前ベルト部分の下端にひきつれが生じやすい。そのため、前ベルト部分の下端が、着用者の前側のそけい部に強く当たって、着用者の肌に跡が付いたり、脚を動かし難く感じたりする場合がある。
他方、腹側シート部材と背側シート部材とを共にサイドシール部より下方に延出させた場合、腹側シート部材と背側シート部材との形態的な差が小さくなり、おむつの前後を視覚的に判別しづらくなる。
【０００５】
従って、本発明は、着用前においても前後の判別が容易であり、着用時に着用者のそけい部に跡が付きにくいパンツ型吸収性物品に関する。
【課題を解決するための手段】
【０００６】
本発明は、着用者の腹側に配される腹側シート部材と、着用者の背側に配される背側シート部材と、該腹側シート部材及び該背側シート部材に架け渡して固定された縦長の吸収性本体とを具備し、前記腹側シート部材の両側縁部と前記背側シート部材の両側縁部とが接合されて一対のサイドシール部、ウエスト開口部及び一対のレッグ開口部が形成されているパンツ型吸収性物品であって、前記腹側シート部材及び前記背側シート部材は、それぞれ、前記サイドシール部より下方に延出する延出部を有し、各該延出部には複数本の弾性部材が横方向に沿って伸長状態で配され、各該延出部は横方向に伸縮性を有しており、収縮した状態において、前記腹側シート部材の前記延出部の幅が、前記背側シート部材の前記延出部の幅よりも狭いパンツ型吸収性物品を提供するものである。
【発明の効果】
【０００７】
本発明によれば、着用前においても前後の判別が容易であり、着用時に着用者のそけい部に跡が付き難いパンツ型吸収性物品が提供される。
【図面の簡単な説明】
【０００８】
【図１】図１は、本発明の実施形態であるパンツ型使い捨ておむつの着用状態を示す平面図である。
【図２】図２は、図１に示すパンツ型使い捨ておむつの着用前の状態（自然状態）を示す平面図である。
【図３】図３は、図１に示すパンツ型使い捨ておむつの展開且つ伸長状態を示す一部破断平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図４】図４は、図１に示すパンツ型使い捨ておむつの腹側部側をおむつ外面側から見た伸長状態の一部破断拡大図である。
【図５】図５は、図１に示すパンツ型使い捨ておむつの背側部側をおむつ外面側から見た伸長状態の一部破断拡大図である。
【図６】図６は、図１に示すパンツ型使い捨ておむつにおける各伸縮部のおむつ横方向に沿う断面を示す図であり、（ａ）は、弾性部材を伸長させて襞をなくした状態、（ｂ）は弾性部材が収縮して襞が形成されている状態を示す図である。
【図７】図７は、図１に示すパンツ型使い捨ておむつの使用状態（着用状態）を示す図であり、（ａ）は、腹側部側から見た図、（ｂ）は、側方から見た図、（ｃ）は、背側部側から見た図である。
【発明を実施するための形態】
【０００９】
以下、本発明のパンツ型吸収性物品を、その好ましい実施形態に基づき図面を参照しながら説明する。
本発明の一実施形態であるパンツ型使い捨ておむつ１（以下、おむつ１ともいう）は、図１及び図３に示すように、着用者の腹側に配される腹側シート部材２Ａと、着用者の背側に配される背側シート部材２Ｂと、腹側シート部材２Ａ及び背側シート部材２Ｂに架け渡して固定された縦長の吸収性本体３とを具備し、腹側シート部材２Ａの両側縁部２ａ，２ａと背側シート部材２Ｂの両側縁部２ｂ，２ｂとが接合されて、一対のサイドシール部４，４、ウエスト開口部５及び一対のレッグ開口部６，６が形成されている。
【００１０】
図３に示すように、腹側シート部材２Ａは、おむつ（吸収性物品）縦方向Ｘの長さＬａが、サイドシール部４の同方向の長さＬ４より長く、該サイドシール部４より下方（着用時における下方）に延出する腹側延出部２１ａを有している。また、背側シート部材２Ｂも、おむつ（吸収性物品）縦方向Ｘの長さＬｂが、サイドシール部４の同方向の長さＬ４より長く、該サイドシール部４より下方（着用時における下方）に延出する背側延出部２１ｂを有している。
【００１１】
より詳細に説明すると、おむつ１は、図１及び図３に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）１の縦方向は、腹側部Ａから股下部Ｃを経て背側部Ｂに亘る方向又はその逆方向（図３中Ｘ方向）であり、おむつ（吸収性物品）１の横方向は、着用者の胴回り方向に沿う方向であり、おむつ（吸収性物品）１の縦方向と交差する方向（図３中Ｙ方向）である。
【００１２】
おむつ１の吸収性本体３は、図３に示すように、液透過性の表面シート３１、液不透過性又は撥水性の裏面シート３２、及び両シート３１、３２間に介在配置された液保持性の吸収体３３を有しており、Ｘ方向に長い長方形状に形成されている。吸収体３３は、パルプ繊維等の繊維の集合体（不織布であっても良い）からなる吸収性コア又はこれに吸水性ポリマーの粒子を保持させてなる吸収性コアと、該吸収性コアを被覆するコアラップシート（図示せず）からなる。吸収体３３も、Ｘ方向に長い長方形状に形成されている。吸収体３３は、長手方向に沿う両側部に、吸収性コアの形成材料が存在しないか又は該形成材料の坪量が他の部分より少ない低剛性部３３ｄを有している。各低剛性部３３ｄは、Ｘ方向に長く形成されている。吸収体３３が低剛性部３３ｄで屈曲し易いことにより、おむつ着用時に、吸収体３３又は吸収性本体３の両側部が着用者の肌側に向かって立ち上がり易くなっている。
【００１３】
吸収性本体３の長手方向に沿う両側部には、図３に示すように、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１の着用中には、側方カフス弾性部材３５が収縮することにより側方カフス３４が起立し、吸収性本体３から横方向（Ｙ方向）外方への液の流出が阻止される。表面シート３１、裏面シート３２、及び吸収体３３の吸収性コアやコアラップシートとしては、それぞれ、この種の吸収性物品に従来用いられているものと同様のものを用いることができる。吸収性本体３の外側には、裏面シート３２に重ねて、不織布やフィルム等の外装シートを配することもできる。
【００１４】
腹側シート部材２Ａは、おむつ１の展開且つ伸長状態（図３参照）において、横長の長方形状をなしており、おむつ縦方向（Ｘ方向）に沿う左右一対の側縁部２ａ，２ａと、おむつ横方向（Ｙ方向）に沿う上下一対の端縁部２ｃ，２ｄ（上側端縁部２ｃ、下側端縁部２ｄ）とを有している。背側シート部材２Ｂも、同様に、横長の長方形状をなしており、おむつ縦方向（Ｘ方向）に沿う左右一対の側縁部２ｂ，２ｂと、おむつ横方向（Ｙ方向）に沿う上下一対の端縁部２ｃ，２ｄとを有している。腹側シート部材２Ａと背側シート部材２Ｂとは、図３に示すように、同形同大であり、おむつ縦方向（Ｘ方向）の長さが均一であり、おむつ横方向（Ｙ方向）の長さも均一である。
【００１５】
そして、腹側シート部材２Ａは、図３に示すように、前記側縁部２ａ，２ａそれぞれに、腹側シート部材２Ａと背側シート部材２Ｂとの間が接合されてサイドシール部４を形成している接合部２ａ’と、該接合部２ａ’の下方に延出し、腹側シート部材２Ａと背側シート部材２Ｂとの間が接合されていない非接合部２ａ”とを有している。また、背側シート部材２Ｂも同様に、図３に示すように、前記側縁部２ｂ，２ｂそれぞれに、背側シート部材２Ｂと腹側シート部材２Ａとの間が接合されてサイドシール部４を形成している接合部２ｂ’と、該接合部２ｂ’の下方に延出し、背側シート部材２Ｂと腹側シート部材２Ａとの間が接合されていない非接合部２ｂ”とを有している。そして、腹側シート部材２Ａの側縁部２ａの一部である接合部２ａ’と、背側シート部材２Ｂの側縁部２ｂの一部である接合部２ｂ’とが接合されていることによって、おむつ１に、前述した一対のサイドシール部４，４が形成されている。この接合には、例えばヒートシール、高周波シール、超音波シール、接着剤等の公知の接合方法が用いられる。また、この接合によって、図１に示すように、サイドシール部４，４と共に、ウエスト開口部５及び一対のレッグ開口部６，６が形成されている。
【００１６】
腹側シート部材２Ａは、図３に示すように、サイドシール部４より下方に延出する延出部２１ａを有している。詳述すると、腹側シート部材２Ａは、前記接合部２ａ’，２ａ’間に位置する本体部２０ａ（以下、腹側本体部２０ａという）及び該本体部２０ａの下方（股下部Ｃ側）に延出する矩形の延出部２１ａ（以下、腹側延出部２１ａともいう）を有している。
同様に、背側シート部材２Ｂは、図３に示すように、サイドシール部４より下方に延出する延出部２１ｂを有している。詳述すると、背側シート部材２Ｂも、前記接合部２ｂ’，２ｂ’間に位置する本体部２０ｂ（以下、背側本体部２０ｂという）及び該本体部２０ａの下方（股下部Ｃ側）に延出する矩形の延出部２１ｂ（以下、背側延出部２１ｂともいう）を有している。
【００１７】
腹側シート部材２Ａの側縁部２ａの前記接合部２ａ’及び前記非接合部２ａ”は、おむつの展開且つ伸長状態（図３参照）において、おむつ縦方向（Ｘ方向）に連続して延びている。また、背側シート部材２Ｂの側縁部２ｂの前記接合部２ｂ’及び前記非接合部２ｂ”も、おむつの展開且つ伸長状態（図３参照）において、おむつ縦方向（Ｘ方向）に連続して延びている。図７には、ウエスト開口部５に幼児の胴部７ａ、レッグ開口部６，６に幼児の脚部７ｂ，７ｂが挿通された状態が示されている。
【００１８】
吸収性本体３は、図３に示すように、縦方向（Ｘ方向）の一端部３ａ側（腹側シート部材２Ａと重なっている部分）が、腹側シート部材２Ａにおける腹側本体部２０ａ及び延出部２１ａの横方向（Ｙ方向）の中央部に接着剤を介して固定され、縦方向（Ｘ方向）の他端部３ｂ側（背側シート部材２Ｂと重なっている部分）が、背側シート部材２Ｂにおける背側本体部２０ｂ及び延出部２１ｂの横方向（Ｙ方向）の中央部に接着剤を介して固定されている。おむつ１について詳述すると、おむつ１においては、図３に示すように、吸収性本体３の一端部３ａ側が、腹側シート部材２Ａに接着剤を介して固定された腹側固定部８Ａを有しており、腹側固定部８Ａは、吸収性本体３と腹側シート部材２Ａの腹側本体部２０ａとが接着剤を介して固定された腹側本体固定部８０ａと、吸収性本体３と腹側シート部材２Ａの延出部２１ａとが接着剤を介して固定された腹側延出固定部８１ａとに区分される。また、おむつ１においては、図３に示すように、吸収性本体３の他端部３ｂ側が、背側シート部材２Ｂに接着剤を介して固定された背側固定部８Ｂを有しており、背側固定部８Ｂは、吸収性本体３と背側シート部材２Ｂの背側本体部２０ｂとが接着剤を介して固定された背側本体固定部８０ｂと、吸収性本体３と背側シート部材２Ｂの延出部２１ｂとが接着剤を介して固定された背側延出固定部８１ｂとに区分される。尚、腹側固定部８Ａ及び背側固定部８Ｂは、接着剤の固定により形成されているが、ヒートシール、高周波シール、超音波シール等の公知の固定方法により形成されていてもよい。
【００１９】
吸収性本体３と腹側シート部材２Ａとの固定位置、及び吸収性本体３と背側シート部材２Ｂとの固定位置について詳述すると、着用前において、おむつの前後の判別が容易となる観点から、吸収性本体３と腹側シート部材２Ａとの腹側固定部８Ａの幅（Ｌ８ａ）が、吸収性本体３と背側シート部材２Ｂとの背側固定部８Ｂの幅（Ｌ８ｂ）よりも狭く形成されていることが好ましい。ここで、腹側固定部８Ａの幅（Ｌ８ａ）とは、腹側固定部８Ａを構成する腹側本体固定部８０ａ及び腹側延出固定部８１ａの中で、おむつ１の横方向（Ｙ方向）の長さが最も長い位置での幅を意味する。背側固定部８Ｂの幅（Ｌ８ｂ）も、腹側固定部８Ａの幅（Ｌ８ａ）と同様に、背側固定部８Ｂを構成する背側本体固定部８０ｂ及び背側延出固定部８１ｂの中で、おむつ１の横方向（Ｙ方向）の長さが最も長い位置での幅を意味する。
また、更に上記固定位置について詳述すると、同様な観点から、腹側固定部８Ａの幅（Ｌ８ａ）が、背側固定部８Ｂの幅（Ｌ８ｂ）と同じであったとしても、少なくとも、腹側固定部８Ａにおける吸収性本体３と腹側シート部材２Ａの延出部２１ａとの腹側延出固定部８１ａの幅（Ｌ８１ａ）が、背側固定部８Ｂにおける吸収性本体３と背側シート部材２Ｂの延出部２１ｂとの背側延出固定部８１ｂの幅（Ｌ８１ｂ）よりも狭く形成されていることが好ましく、装着前外観の前後区別をより効果的にするという観点において、腹側延出固定部８１ａの全域及び背側延出固定部８１ｂの全域において、腹側延出固定部８１ａの幅（Ｌ８１ａ）が、背側延出固定部８１ｂの幅（Ｌ８１ｂ）よりも狭く形成されていることが更に好ましい。ここで、腹側延出固定部８１ａの幅（Ｌ８１ａ）とは、腹側延出固定部８１ａの中で、おむつ１の横方向（Ｙ方向）の長さが最も長い位置での幅を意味する。背側延出固定部８１ｂの幅（Ｌ８１ｂ）も、腹側延出固定部８１ａの幅（Ｌ８１ａ）と同様に、背側延出固定部８１ｂの中で、おむつ１の横方向（Ｙ方向）の長さが最も長い位置での幅を意味する。
【００２０】
おむつ１においては、図３に示すように、腹側本体固定部８０ａ及び背側本体固定部８０ｂそれぞれが、吸収性本体３の長手方向（Ｘ方向）に沿う両外側縁間に亘って形成されており、背側延出固定部８１ｂが、両側方カフス３４，３４の自由端間に亘って形成されており、腹側延出固定部８１ａが、両側方カフス３４，３４の自由端寄りも内方側に形成されている。このように、おむつ１においては、図３に示すように、腹側固定部８Ａの幅（Ｌ８ａ）と背側固定部８Ｂの幅（Ｌ８ｂ）とは、同じであるが、腹側延出固定部８１ａの幅（Ｌ８１ａ）が、背側延出固定部８１ｂの幅（Ｌ８１ｂ）よりも狭く形成されている。
【００２１】
腹側シート部材２Ａの延出部２１ａ及び背側シート部材２Ｂの延出部２１ｂには、それぞれ、図３に示すように、複数本の弾性部材２４が横方向（Ｙ方向）に沿って伸長状態で配され、延出部２１ａ，２１ｂは横方向（Ｙ方向）に伸縮性を有している。詳述すると、おむつ１における腹側シート部材２Ａ及び背側シート部材２Ｂは何れも、図４及び図５に示すように、おむつの外面をなす外層シート２２と、外層シート２２の内面側に配された内層シート２３と、両シート２２，２３間に配された複数本の糸状の弾性部材２４とを備えており、腹側本体部２０ａ及び背側本体部２０ｂに、それぞれ、横方向（Ｙ方向）に伸縮性を有するウエスト伸縮部Ｇ１及び胴回り伸縮部Ｇ２が形成され、腹側延出部２１ａ及び背側延出部２１ｂに、横方向（Ｙ方向）に伸縮性を有する延出部伸縮部Ｇ３が形成されている。
【００２２】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００２３】
図４及び図５に示すように、ウエスト伸縮部Ｇ１は、腹側シート部材２Ａ及び背側シート部材２Ｂのそれぞれにおいて、おむつ１の縦方向（Ｘ方向）における、吸収性本体３の長手方向の端部３ａ，３ｂより縦方向（Ｘ方向）外方に形成されている。胴回り伸縮部Ｇ２は、腹側シート部材２Ａ及び背側シート部材２Ｂのそれぞれにおいて、おむつ１の縦方向（Ｘ方向）における、ウエスト伸縮部Ｇ１と腹側延出部２１ａ又は背側延出部２１ｂとの間に形成されている。延出部伸縮部Ｇ３は、腹側延出部２１ａ又は背側延出部２１ｂに形成されている。
【００２４】
図３に示すように、腹側シート部材２Ａの本体部である腹側本体部２０ａ、背側シート部材２Ｂの本体部である背側本体部２０ｂ、腹側シート部材２Ａの延出部である腹側延出部２１ａ、及び背側シート部材２Ｂの延出部である背側延出部２１ｂには、それぞれ、複数本の弾性部材２４が、それぞれ横方向（Ｙ方向）に沿って延びるように、且つおむつの縦方向（Ｘ方向）に間隔を開けて伸長状態で配されている。
より具体的には、腹側シート部材２Ａについては、図４に示すように、腹側本体部２０ａにおけるウエスト伸縮部Ｇ１に複数本の弾性部材２４Ａが配され、腹側本体部２０ａにおける胴回り伸縮部Ｇ２に複数本の弾性部材２４Ｂが配され、腹側延出部２１ａにおける延出部伸縮部Ｇ３に複数本の弾性部材２４Ｃが配されている。
他方、背側シート部材２Ｂについては、図５に示すように、背側本体部２０ｂにおけるウエスト伸縮部Ｇ１に複数本の弾性部材２４Ｄが配され、背側本体部２０ｂにおける胴回り伸縮部Ｇ２に複数本の弾性部材２４Ｅが配され、背側延出部２１ｂにおける延出部伸縮部Ｇ３に複数本の弾性部材２４Ｆが配されている。
【００２５】
おむつ１においては、腹側シート部材２Ａの延出部２１ａ及び背側シート部材２Ｂの延出部２１ｂは、それぞれ、吸収性本体３と重なる領域に、弾性部材２４の伸縮機能が低減された弱機能化領域を有している。詳述すると、腹側シート部材２Ａについては、胴回り伸縮部Ｇ２及び延出部伸縮部Ｇ３それぞれを展開且つ伸長した状態において、横方向（Ｙ方向）の中央部に接着剤を介して吸収性本体３を固定している。そして、吸収性本体３と重なる胴回り伸縮部Ｇ２の複数本の糸状の弾性部材２４Ｂ及び吸収性本体３と重なる延出部伸縮部Ｇ３の複数本の糸状の弾性部材２４Ｃそれぞれが個々複数個に分断されており、細かく分断された弾性部材２４Ｂ，２４Ｃは、もはや収縮力を殆ど有しない状態となって弱機能化領域を形成している。同様に、背側シート部材２Ｂについても、胴回り伸縮部Ｇ２及び延出部伸縮部Ｇ３それぞれを展開且つ伸長した状態において、横方向（Ｙ方向）の中央部に接着剤を介して吸収性本体３を固定している。そして、吸収性本体３と重なる胴回り伸縮部Ｇ２の複数本の糸状の弾性部材２４Ｅ及び吸収性本体３と重なる延出部伸縮部Ｇ３の複数本の糸状の弾性部材２４Ｆそれぞれが個々複数個に分断されており、細かく分断された弾性部材２４Ｅ，２４Ｆは、もはや収縮力を殆ど有しない状態となって弱機能化領域を形成している。
【００２６】
上述のように弱機能化領域が形成されているため、図４及び図５に示すように、おむつ１においては、ウエスト伸縮部Ｇ１は、腹側シート部材２Ａ又は背側シート部材２Ｂにおける端部固定部２７，２７間の全域に亘って伸縮性を発現するように形成されており、他方、胴回り伸縮部Ｇ２及び延出部伸縮部Ｇ３は、それぞれ、おむつ１の横方向（Ｙ方向）において、吸収性本体３の縦方向（Ｘ方向）に沿う両側縁３ｃ，３ｃそれぞれより横方向（Ｙ方向）外方に位置する部分に形成されている。言い換えれば、胴回り伸縮部Ｇ２及び延出部伸縮部Ｇ３は、吸収性本体３の両側縁３ｃ，３ｃの横方向（Ｙ方向）外方においては伸縮性を発現し、吸収性本体３と重なる部分、特に吸収性本体３の横方向（Ｙ方向）中央部と重なる部分において伸縮性を発現し難く、おむつ１の左右に分割された状態に形成されている。
【００２７】
また、腹側シート部材２Ａの腹側本体部２０ａに配された弾性部材２４Ａ，２４Ｂと、背側シート部材２Ｂの背側本体部２０に配された弾性部材２４Ｄ，２４Ｅと、背側延出部２１ｂに配された弾性部材２４Ｆとは、相互に等しい伸長率で配されている。尚、腹側延出部２１ａの弾性部材２４Ｃの伸長率については、後で詳述する。
【００２８】
本実施形態のおむつ１におけるウエスト伸縮部Ｇ１、胴回り伸縮部Ｇ２、延出部伸縮部Ｇ３においては、図４及び図５に示すように、外層シート２２と内層シート２３との間が、散点状に形成された多数の接合部２６において接合されている。
より具体的には、腹側シート部材２Ａ及び背側シート部材２Ｂの伸縮部Ｇ１〜Ｇ３の何れにおいても、おむつ１の横方向（Ｙ方向）に接合部２６が間欠的に直列配置されてなる接合部列が、おむつ１の縦方向（Ｘ方向）に複数列形成されている。また、それらの接合部列における各接合部のＹ方向の位置も全ての接合部列において一致している。また、おむつ１の縦方向（Ｘ方向）に接合部２６が直列配置されてなる縦接合部列も形成されており、該縦接合部列は、おむつ１の横方向（Ｙ方向）に間隔をおいて複数列形成されている。
そして、腹側シート部材２Ａ及び背側シート部材２Ｂの伸縮部Ｇ１〜Ｇ３の何れにおいても、複数本の弾性部材２４が、それぞれ、縦方向に隣接する接合部２６間を通るように配されている。また、各弾性部材２４は、後述する端部固定部２７又は吸収性本体側固定部２８においてシート２２，２３間に固定されている一方、それ以外の部位においては、シート２２，２３の何れにも固定されていない。
【００２９】
腹側シート部材２Ａのウエスト伸縮部Ｇ１は、腹側シート部材２Ａの両側縁部２ａ，２ａに、外層シート２２と内層シート２３との間が接着剤を介して接合された一対の端部固定部２７を有している（図４参照）。ウエスト伸縮部Ｇ１に配された弾性部材２４Ａは、一対の端部固定部２７それぞれにおいてシート２２，２３間に固定されている一方、端部固定部２７間においては、シート２２，２３の何れにも固定されていない。背側シート部材２Ｂのウエスト伸縮部Ｇ１についても同様である（図５参照）。
【００３０】
腹側シート部材２Ａの胴回り伸縮部Ｇ２は、何れも、腹側シート部材２Ａの一方の側縁部に、外層シート２２と内層シート２３との間が接着剤を介して接合された端部固定部２７を有しており、また、端部固定部２７よりおむつ横方向の中央側に、外層シート２２と内層シート２３との間が接着剤を介して接合された吸収性本体側固定部２８を有している（図４参照）。胴回り伸縮部Ｇ２に配された弾性部材２４Ｂは、端部固定部２７と吸収性本体側固定部２８のそれぞれにおいてシート２２，２３間に固定されている一方、端部固定部２７と吸収性本体側固定部２８との間においては、シート２２，２３の何れにも固定されていない。腹側シート部材２Ａの延出部伸縮部Ｇ３、背側シート部材２Ｂの胴回り伸縮部Ｇ２及び延出部伸縮部Ｇ３についても同様である（図４，図５参照）。
【００３１】
吸収性本体側固定部２８は、図４及び図５に示すように、おむつ横方向（Ｙ方向）外側の端が、吸収性本体３の側縁３ｃの位置よりおむつ横方向（Ｙ方向）の内側（中央側）に位置するように形成されているが、これに代えて、吸収性本体３の側縁３ｃの内外に亘るように形成したり、吸収性本体３の側縁３ｃよりおむつ横方向（Ｙ方向）の外方に形成したりすることもできる。
【００３２】
腹側延出部２１ａの延出長さＬ５（おむつ縦方向の長さ，図３参照）は、腹側シート部材２Ａの同方向の長さＬａ（図３参照）の５〜６０％、特に２０〜４０％であることが好ましく、背側延出部２１ｂの延出長さＬ６（おむつ縦方向の長さ，図３参照）は、腹側延出部２１ａ延出長さＬ５と同様に、背側シート部材２Ｂの同方向の長さＬｂ（図３参照）の５〜６０％、特に２０〜４０％であることが好ましい。また、幼児用のおむつの場合、腹側及び背側延出部２１ａ，２１ｂそれぞれの延出長さＬ５，Ｌ６は、１０〜１００ｍｍであることが好ましく、より好ましくは２０〜７０ｍｍである。成人用のおむつの場合、腹側及び背側延出部２１ａ，２１ｂそれぞれの延出長さＬ５，Ｌ６は、１０〜１５０ｍｍであることが好ましく、より好ましくは２０〜１００である。
【００３３】
また、背側延出部２１ｂの延出長さＬ６は、腹側延出部２１ａの延出長さＬ５と同じ（Ｌ５＝Ｌ６）か、それ以上（Ｌ６＞Ｌ５）であることがその前後を視覚的に判断できるといった観点、および、張り出した臀部を完全に覆うといった観点から好ましい。
また、腹側延出部２１ａと背側延出部２１ｂの両方を備えていることにより、着用状態におけるおむつ１のサイドシール部４をほぼ直線とすることができる。それにより、装着時の衣服としての外観に優れるとともに、特に腹側延出部２１ａが後方に引張られ、引きつれを起こすことによる過度な締め付けに起因するゴム跡つきが生じにくくなる。
背側延出部２１ｂの延出長さＬ６に対する腹側延出部２１ａの延出長さＬ５の比（Ｌ５／Ｌ６）は、１．０以下であることが好ましく、０．２〜０．８であることが更に好ましく、０．４〜０．６であることが、上述した前後を視覚的に判断する観点から、特に好ましい。また、製造における部材数を減らせるといった観点において、Ｌ５＝Ｌ６であることが特に好ましい。更にＬ５＝Ｌ６であることおよび、腹側延出部２１ａの収縮力が背側延出部２１ｂのそれより大きいことにより、より一層着用状態におけるおむつ１のサイドシール部４を直線に近いものにすることができる。それにより、装着時の衣服としての外観に優れるとともに、特に腹側延出部２１ａが後方に引張られ、引きつれを起こすことによる過度な締め付けに起因するゴム跡つきが更に生じにくくなる。
【００３４】
腹側シート部材２Ａ及び背側シート部材２Ｂそれぞれのウエスト伸縮部Ｇ１，胴回り伸縮部Ｇ２及び延出部伸縮部Ｇ３においては、弾性部材２４が収縮することにより、隣接する縦接合部列間のシート２２及び２３が外方に膨らむように変形して、隣接する縦接合部列間にシート２２又はシート２３からなる襞２９が生じると共に、両シート２２，２３間には、襞２９と襞２９とに周囲を囲まれた中空部３０が形成される（図６（ａ）及び図６（ｂ）参照）。襞２９や中空部３０が形成されることにより、腹側シート部材２Ａ及び背側シート部材２Ｂの柔らかさが向上して肌触り等が向上する他、肌当接面側に形成される襞２９間を空気が流通し易くムレ防止性にも優れている。特に、内層シート２３を、不織布等の通気性シートで形成した場合等においては、おむつ１内の湿気を外部に一層逃がしやすくなる。
【００３５】
なお、上述した実施形態のおむつ１における、外層シート２２及び内層シート２３は、図３に示すように、ウエスト開口部の開口周縁端をなす端縁部２ｃにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００３６】
おむつ１は、収縮した状態において、腹側シート部材２Ａの延出部２１ａの幅Ｌｆが、背側シート部材２Ｂの延出部２１ｂの幅Ｌｂよりも狭く形成されている。このように、幅Ｌｆ＜幅Ｌｂとすることにより、着用前においても、おむつ１の前後の判別が容易となる。ここで、「収縮した状態」とは、自然状態において弾性部材２４が収縮した状態であり、おむつの着用前の状態と同じ意味である。また、腹側シート部材２Ａの延出部２１ａの幅Ｌｆは、延出部２１ａにおいて最も横方向（Ｙ方向）の長さが短い箇所の測定値であり、通常、図２に示すように、延出部２１ａの両側縁における下端（股下部Ｃ側の両隅）どうしの間の長さである。同様に、背側シート部材２Ｂの延出部２１ｂの幅Ｌｂも、延出部２１ｂにおいて最も横方向（Ｙ方向）の長さが短い箇所の測定値であり、通常、図２に示すように、延出部２１ｂの両側縁における下端（股下部Ｃ側の両隅）どうしの間の長さである。着用前において、おむつ１の前後の判別が容易となる観点から、具体的に幼児用のおむつの場合には、幅Ｌｂから幅Ｌｆを差し引いた値（Ｌｂ−Ｌｆ）が、１０ｍｍより大きいことが好ましく、２０ｍｍより大きいことが更に好ましい。また、具体的に成人用のおむつの場合には、幅Ｌｂから幅Ｌｆを差し引いた値（Ｌｂ−Ｌｆ）が、２０ｍｍより大きいことが好ましく、３０ｍｍより大きいことが更に好ましい。
【００３７】
収縮した自然状態において、腹側シート部材２Ａの延出部２１ａの幅Ｌｆが、背側シート部材２Ｂの延出部２１ｂの幅Ｌｂよりも狭くするために、腹側シート部材２Ａの延出部２１ａの横方向（Ｙ方向）の収縮力が、背側シート部材２Ｂの延出部２１ｂの横方向（Ｙ方向）の収縮力よりも高く形成されている。また、おむつ１においては、腹側シート部材２Ａの延出部２１ａの単位長さ当たりの横方向（Ｙ方向）の収縮力が、背側シート部材２Ｂの延出部２１ｂの単位長さ当たりの横方向（Ｙ方向）の収縮力よりも高く形成されている。
具体的には、腹側シート部材２Ａの延出部２１ａの横方向（Ｙ方向）の収縮力は、１２〜４０ｃＮであることが好ましく、１７〜３５ｃＮであることが更に好ましい。腹側シート部材２Ａの延出部２１ａの単位長さ当たりの横方向（Ｙ方向）の収縮力は４〜１５ｃＮ／ｍｍであることが好ましく、７〜１３ｃＮ／ｍｍであることが更に好ましい。
また、背側シート部材２Ｂの延出部２１ｂの横方向（Ｙ方向）の収縮力は、１０〜３５ｃＮであることが好ましく、１５〜３０ｃＮであることが更に好ましい。背側シート部材２Ｂの延出部２１ｂの単位長さ当たりの横方向（Ｙ方向）の収縮力は、２〜１２ｃＮ／ｍｍであることが好ましく、３〜１０ｃＮ／ｍｍであることが更に好ましい。
上記の収縮力は、（株）ＯＲＩＥＮＴＥＣ社製のテンシロン万能試験機（ＲＴＣ−１２１０Ａ）によって測定される。具体的な測定法は以下の通りである。
【００３８】
図３に示すように、伸長した状態のおむつ１において、サイドシール部４より下方に延出する延出部２１ａの縦方向（Ｘ方向）の長さを測定する。縦方向（Ｘ方向）の長さは、延出部２１ａの縦方向（Ｘ方向）に沿う側部、即ち、サイドシール部４に連続するサイドシール部４より下方の部分の長さである。更に具体的に説明すると、展開状態において両サイドシール部４，４それぞれの内側縁に沿って延びる線（Ｚ，Ｚ）を延出部２１ａに引く（図３参照）。次に、サイドシール部４より下方に延出する延出部２１ａをカットする。この延出部２１ａのカットサンプルは、延出部伸縮部Ｇ３以外に、吸収性本体３の一部、即ち吸収体３３の一部、表面シート３１の一部、裏面シート３２の一部、側方カフス３４の一部を含む複合体である。次に、延出部２１ａのカットサンプルについて、最大に伸長した状態のＺ−Ｚ間の長さ（最大伸長長さ）を求める。尚、最大に伸長した状態の長さを求める際に、延出部２１ａの弾性部材２４が抜ける場合には、ポイントシール又は超音波シール等の処理を行う。次いで、延出部２１ａのカットサンプルをテンシロン万能試験機にチャック間距離１００ｍｍ（自然状態でのサンプルの長さに応じて変更可能）にて、先に引いた左右の線Ｚ，Ｚがテンシロン万能試験機のチャック部の先端部にくるように固定し（言い換えれば、延出部２１ａにおける線ＺよりＹ方向外方の部分を前記チャック部で挟んで固定し）、一定速度３００ｍｍ／ｍｉｎで、先に求めた最大伸長長さの８０％の長さまで伸長させた後、７１％まで収縮させた時の引張り荷重（ｃＮ）を収縮力とする。更に、引張り荷重（ｃＮ）を、予め測定した延出部２１ａの縦方向（Ｘ方向）の長さで除した値を、単位長さ当たりの収縮力とする。背側シート部材２Ｂの延出部２１ｂについても、腹側シート部材２Ａの延出部２１ａと同様にして測定する。測定は３回行い、その平均値を算出して各延出部２１ａ，２１ｂの収縮力の値、単位長さ当たりの収縮力の値とする。
最大伸長長さの７１％相当の長さにおける戻りの力を規定した理由は、本実施形態のパンツ型使い捨ておむつ１を着用する主たる対象者である幼児の腹回りの長さがおむつ内寸と比して７１％程度となるからである。なお、ここで言う腹回りの長さは、幼児の姿勢が変化したときの腹回りの周長の変化を考慮し、立位および座位で測定した腹回りの平均値である。
【００３９】
腹側シート部材２Ａの延出部２１ａの横方向（Ｙ方向）の収縮力を、背側シート部材２Ｂの延出部２１ｂの横方向（Ｙ方向）の収縮力よりも高く形成するために、下記Ｉ．〜ＩＶ．の少なくとも何れか１つを満たすことが好ましい。尚、腹側延出部２１ａの弾性部材２４Ｃ及び背側延出部２１ｂの弾性部材２４Ｆの本数は、好ましくは４〜１０本、特に好ましくは５〜７本である。
【００４０】
Ｉ．腹側延出部２１ａの弾性部材２４Ｃに関し、背側延出部２１ｂの弾性部材２４Ｆより高い伸長率で配する。具体的には、腹側延出部２１ａの弾性部材２４Ｃの伸長率と背側延出部２１ｂの弾性部材２４Ｆの伸長率との差は、弾性部材２４Ｆの伸長率に対して、２５〜８０％であることが好ましく、４０〜６０％であることがより好ましい。
【００４１】
各伸縮部に配された弾性部材の伸長率は下記方法により測定することができる。
＜伸長率の測定方法＞
（１）未伸長状態のおむつ１について、各伸縮部に、幅方向に沿って長さ２０ｍｍの印を付す。
（２）この印の両端部において、シート部材と弾性部材を把持して、各伸縮部のシート部材における襞をなくした状態（伸展状態）まで各伸縮部を幅方向に伸長する。
（３）伸長後の印の長さ（両端部間の距離）Ｌｐを測定する。
（４）（Ｌｐ／２０）×１００（％）を、各伸縮部に配された弾性部材の伸長率とする。
（５）未伸長状態のおむつ１について、各伸縮部に、幅方向に沿って長さ２０ｍｍの印を付すことができない場合は、可能な限り大きな間隔に印を付して測定する。
【００４２】
ＩＩ．腹側延出部２１ａの弾性部材２４Ｃに関し、背側延出部２１ｂの弾性部材２４Ｆより太い弾性部材を配する。具体的には、腹側延出部２１ａの弾性部材２４Ｃの単糸のサイズが、２３５〜９４０ｄｔｅｘであることが好ましく、３１０〜７８０ｄｔｅｘであることが更に好ましい。背側延出部２１ｂの弾性部材２４Ｆの単糸のサイズが、１５０〜７８０ｄｔｅｘであることが好ましく、２８０〜７２０ｄｔｅｘであることが更に好ましい。このような糸状の弾性部材２４Ｃ，２４Ｆを、１５０％以上の伸長率となるように配することが好ましい。
【００４３】
ＩＩＩ．腹側延出部２１ａの弾性部材２４Ｃに関し、背側延出部２１ｂの弾性部材２４Ｆより縦方向（Ｘ方向）の間隔を短くして配する。特に、背側延出部２１ｂの複数本の弾性部材２４Ｆの縦方向（Ｘ方向）の間隔を略均等に配するのに対し、腹側延出部２１ａの複数本の弾性部材２４Ｃの縦方向（Ｘ方向）の間隔を、腹側延出部２１ａにおける縦方向（Ｘ方向）の腹側本体部２０ａ側の端部から股下部Ｃ側の端部に向かって、漸次短くなるように配することが、股下部Ｃ側の収縮が大きくなり、装着時の外観の観点から好ましい。具体的には、縦方向（Ｘ方向）に隣り合う背側延出部２１ｂの弾性部材２４Ｆどうしの間隔は、４〜１２ｍｍであることが好ましく、５〜１０ｍｍであることが更に好ましい。一方、縦方向（Ｘ方向）に隣り合う腹側延出部２１ａの弾性部材２４Ｃどうしの間隔は、３〜１０ｍｍであることが好ましく、４〜８ｍｍであることが更に好ましい。
特に、腹側延出部２１ａの弾性部材２４Ｃについて、上述したように配置間隔を代えて配する場合、腹側本体部２０ａ側の配置間隔と股下部Ｃ側の配置間隔との差は、１〜１５ｍｍ、特に５〜１０ｍｍであることが好ましい。
また、腹側本体部２０ａ側の配置間隔は、５〜２０ｍｍ、特に１０〜１５ｍｍであることが好ましく、股下部Ｃ側の配置間隔は、２〜１０ｍｍ、特に３〜８ｍｍであることが好ましい。
【００４４】
ＩＶ．腹側延出部２１ａの弱機能化領域における細かく分断された弾性部材２４Ｃの長さを、背側延出部２１ｂの弱機能化領域における細かく分断された弾性部材２４Ｆの長さよりも長くする。弱機能化領域においては、複数本の糸状の弾性部材２４Ｃ，２４Ｆそれぞれが個々複数個に分断されており、細かく分断された弾性部材２４Ｃ，２４Ｆは、上述したように、もはや収縮力を殆ど有しない状態となっている。しかし、細かく分断された弾性部材２４Ｃ，２４Ｆとはいえ、若干収縮力を未だ有しているからである。具体的には、背側延出部２１ｂの弱機能化領域における分断された弾性部材２４Ｆの長さは、１〜３ｍｍであることが好ましく、１〜２ｍｍであることが更に好ましい。一方、腹側延出部２１ａの弱機能化領域における分断された弾性部材２４Ｃの長さは、２〜５ｍｍであることが好ましく、２〜３ｍｍであることが更に好ましい。
【００４５】
腹側シート部材２Ａの腹側延出部２１ａと背側シート部材２Ｂの背側延出部２１ｂとには、同一の太さの弾性部材２４Ｃ，２４Ｆが、同一の伸長率で配されていることが、また、製造工程の簡易化、使用部材数の少数化等の観点から好ましい。弾性部材２４Ｃ，２４Ｆの太さ、伸長率を同じにしても、延出部２１ａ，２１ｂの収縮状態の差から、おむつの前後の判別は容易である。
【００４６】
上述した本発明の実施形態のおむつ１を使用した際の作用効果について説明する。
おむつ１は、図２に示すように、収縮した状態において、腹側シート部材２Ａの延出部２１ａの幅Ｌｆが、背側シート部材２Ｂの延出部２１ｂの幅Ｌｂよりも狭く形成されている。このように、幅Ｌｆ＜幅Ｌｂとすることにより、着用前においても、おむつ１の前後の判別が容易となる。
また、おむつ１は、図３に示すように、腹側シート部材２Ａ及び背側シート部材２Ｂが、伸長状態において、長方形状である。そのため、不要な部分をトリムとして除去する必要がなく、加工設備を簡略化すること、および高速生産が可能となる。
【００４７】
また、おむつ１は、図４に示すように、腹側延出部２１ａに弾性部材２４Ｃを備えることにより、図７（ａ）に示すように、使用時に着用者の排尿等を吸収しおむつ１の重量が増加した場合においても、着用状態におけるおむつ１のズレ落ちを抑えることができる。また、図７（ａ）に示すように、腹側延出部２１ａ全体で着用者の前側のそけい部に当たり、面で支えることになるので、着用者のそけい部の肌に跡が付き難く、且つ脚を動かし難く感じ難くなる。
【００４８】
また、おむつ１は、図５に示すように、背側延出部２１ｂを備えることにより、図７（ｃ）に示すように、着用状態における着用者の臀部を覆うことができ、衣類に似た外観となると共に、幼児用であれば親へ安心感を与えることができる。また、図５に示すように、背側延出部２１ｂに弾性部材２４Ｆを備えることにより、図７（ｃ）に示すように、フィット性が向上する。
【００４９】
また、おむつ１は、図４，図５に示すように、弾性部材２４Ｃを有する腹側延出部２１ａ及び弾性部材２４Ｆを有する背側延出部２１ｂを備えているので、図７（ｂ）に示すように、おむつ１の着用時にサイドシール部４が略着用者の体の真横に縦方向（Ｘ方向）に真っ直ぐ延びるようになるので、外観上も加工上も好ましい。また、図７（ｂ）に示すように、サイドシール部４が略着用者の体の真横に縦方向（Ｘ方向）に真っ直ぐ延びるように形成されていると、サイドシール部４の下端付近、特に腹側延出部２１ａの下端にひきつれが生じ難くなり、着用者のそけい部の肌に跡が付き難く、脚を動かし難く感じ難くなる。
【００５０】
また、おむつ１は、図３に示すように、腹側固定部８Ａの幅（Ｌ８ａ）と背側固定部８Ｂの幅（Ｌ８ｂ）とが同じであるが、腹側延出固定部８１ａの幅（Ｌ８１ａ）が、背側延出固定部８１ｂの幅（Ｌ８１ｂ）よりも狭く形成されている。また、腹側シート部材２Ａの延出部２１ａの横方向（Ｙ方向）の収縮力を、背側シート部材２Ｂの延出部２１ｂの横方向（Ｙ方向）の収縮力よりも高く形成すると、装着前において、腹側シート部材２Ａの延出部２１ａの収縮が、背側シート部材２Ｂの延出部２１ｂのそれに対して相乗的に大きくなり、前後の区別がより一層付きやすくなる。
【００５１】
以上、本発明をその好ましい実施形態に基づき説明したが、本発明は上述した実施形態に制限されず適宜変更可能である。
例えば、上述した実施形態のおむつ１においては、吸収性本体３が、腹側シート部材２Ａにおける腹側本体部２０ａ及び延出部２１ａの横方向（Ｙ方向）の中央部に接着剤を介して固定され、背側シート部材２Ｂにおける背側本体部２０ｂ及び延出部２１ｂの横方向（Ｙ方向）の中央部に接着剤を介して固定されているが、腹側シート部材２Ａの腹側本体部２０ａの横方向（Ｙ方向）の中央部にのみ接着剤を介して固定され、背側シート部材２Ｂの背側本体部２０ｂの横方向（Ｙ方向）の中央部にのみ接着剤を介して固定されていてもよい。その際、固定されていない腹側シート部材２Ａの延出部２１ａにおいては、弾性部材２４Ｃを細かく分断せず、弱機能化領域を形成していなくてもよい。同様に、固定されていない背側シート部材２Ｂの延出部２１ｂにおいても、弱機能化領域を形成していなくてもよい。
【００５２】
また、上述した実施形態のおむつ１においては、弾性部材２４Ａ、弾性部材２４Ｂ、弾性部材２４Ｄ、弾性部材２４Ｅは、何れも弾性部材２４Ｆと等しい伸長率で配されているが、等しくなくてもよい。
また、腹側シート部材２Ａと背側シート部材２Ｂは、それぞれ、弾性部材２４と重ならないように形成されたドット状の接合部２６を有するものに代えて、おむつ外面をなす外層シート２２とその内側に配された内層シート２３とが全域において接着された構造を有するものであっても良い。また、ウエスト伸縮部Ｇ１、胴回り伸縮部Ｇ２、延出部伸縮部Ｇ３は、それぞれ、その全体又は一部が、おむつ外面をなす外層シート２２とその内側に配された内層シート２３とが全域において接着された構造を有するものであっても良い。しかしながら、前述したように前後の延出部２１ａ，２１ｂは、使用時に着用者の排尿等を吸収し、おむつ１の重量が増加した場合におむつの重量を支える重要な部位であるため、肌に対する影響が大きいため、弾性部材２４と重ならないように形成されたドット状の接合部２６を有するものであることが好ましい。
【００５３】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００５４】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００５５】
１  パンツ型使い捨ておむつ（パンツ型吸収性物品）
２Ａ  腹側シート部材
２ａ，２ａ  側縁部
２ａ’，２ａ’  接合部
２ａ”，２ａ”  非接合部
２０ａ  腹側本体部
２１ａ  腹側延出部
２Ｂ  背側シート部材
２ｂ，２ｂ  側縁部
２ｂ’，２ｂ’  接合部
２ｂ”，２ｂ”  非接合部
２０ｂ  背側本体部
２１ｂ  背側延出部
２２  外層シート
２３  内層シート
２４，２４Ａ〜２４Ｆ  弾性部材
２６  接合部
２７  端部固定部
２８  吸収性本体側固定部
２９  襞
３  吸収性本体
３１  表面シート
３２  裏面シート
３３  吸収体
３３ｄ  低剛性部
３４  側方カフス
４  サイドシール部
５  ウエスト開口部
６  レッグ開口部
７ａ  幼児の胴部
７ｂ  幼児の脚部
８Ａ  腹側固定部
８０ａ  腹側本体固定部
８１ａ  腹側延出固定部
８Ｂ  背側固定部
８０ｂ  背側本体固定部
８１ｂ  背側延出固定部
Ａ  腹側部
Ｂ  背側部
Ｃ  股下部
Ｇ１  ウエスト伸縮部
Ｇ２  胴回り伸縮部
Ｇ３  延出部伸縮部
【図１】
2013128516.tif 000003
【図２】
2013128516.tif 000004
【図３】
2013128516.tif 000005
【図４】
2013128516.tif 000006
【図５】
2013128516.tif 000007
【図６】
2013128516.tif 000008
【図７】
2013128516.tif 000009